(57)【要約】【課題】  ３Ｄ視聴補助装置（たとえば３Ｄメガネ）を使用するデジタル放送において、３Ｄの番組が突然開始された場合、３Ｄ視聴補助装置を準備装着する時間により、ユーザーは番組の冒頭部分を３Ｄで視聴することが非常に困難である。【解決手段】  ３Ｄ番組の開始前に、ユーザーに対して３Ｄ番組の開始予告を通知するとともに３Ｄ視聴補助装置を装着する旨の指示を行う。またユーザーから３Ｄ視聴補助装置装着済みの応答を受信した場合に、３Ｄ番組開始時に映像を３Ｄ表示に切り替える。前記応答を受信しない場合は、映像を２Ｄ表示とする。  また前記応答を受けずに３Ｄ番組が開始された場合には、当該番組の記録を開始し、ユーザーからの３Ｄ視聴補助装置装着済みの応答を受けた時点で記録した当該番組の再生を開始する。【選択図】  図６
2011228969.tif 000002
【特許請求の範囲】
【請求項１】
映像情報が入力される入力部と、
前記入力部に入力された映像情報を復号する復号部と、
前記復号部で復号された映像情報を出力する出力部とを有し、
一定時間経過後に前記入力部に入力される映像情報が３Ｄ映像情報であった場合に、前記出力部から３Ｄ映像情報を出力する予定がある旨のメッセージを通知することを特徴とする映像処理装置。
【請求項２】
請求項１の映像処理装置であって、
前記３Ｄ映像情報を出力する予定がある旨のメッセージには、当該３Ｄ映像情報の出力を開始するまでの時間又は当該３Ｄ映像情報を出力する時刻が含まれることを特徴とする映像処理装置。
【請求項３】
請求項１の映像処理装置であって、
前記３Ｄ映像情報を出力する予定がある旨のメッセージには、３Ｄ映像の視聴の可否の確認に用いる３Ｄ映像が含まれることを特徴とする映像処理装置。
【請求項４】
請求項１の映像処理装置であって、
前記出力部は、ユーザの状態に応じて前記３Ｄ映像情報を３Ｄ映像情報として出力するか２Ｄ映像として出力するかの切り替えを行うことを特徴とする映像処理装置。
【請求項５】
映像情報が入力される入力部と、
前記入力部に入力される映像情報を記録媒体に記録する記録部と、
前記入力部に入力された映像情報または前記記録部に記録された映像情報を復号する復号部と、
前記復号部で復号された映像情報を出力する出力部と、を有し、
ユーザが３Ｄ映像を視聴可能な状態でない場合に前記入力部に３Ｄ映像情報が入力されると、前記記録部は当該３Ｄ映像情報の記録を開始することを特徴とする映像処理装置。
【請求項６】
請求項５の映像処理装置であって、
前記記録部で３Ｄ映像情報の記録を開始した後、ユーザの指示に応じて、前記記録部に記録した３Ｄ映像情報の出力、前記入力部に入力される３Ｄ映像情報の３Ｄ映像情報としての出力、及び前記入力部に入力される３Ｄ映像情報の２Ｄ映像情報としての出力のうちのいずれかの出力を行うことを特徴とする映像処理装置。
【請求項７】
請求項５の映像処理装置であって、
前記記録部における３Ｄ映像情報の記録の開始から、当該記録された３Ｄ映像情報の出力までの間に、前記出力部は所定の画像を出力することを特徴とする映像処理装置。
【請求項８】
映像情報を記録媒体に記録する記録部と、
前記記録部に記録された映像情報を復号する復号部と、
前記復号部で復号された映像情報を出力する出力部と、を有し、
前記出力部から出力される映像情報が３Ｄ映像情報であって、ユーザが３Ｄ映像を視聴可能な状態でない場合は、前記出力部からユーザに対して３Ｄ映像を視聴可能な状態にすることを促すメッセージが出力されることを特徴とする映像処理装置。
【請求項９】
映像情報を記録媒体に記録する記録部と、
前記記録部に記録された映像情報を復号する復号部と、
前記復号部で復号された映像情報を出力する出力部と、を有し、
前記出力部から出力される映像情報が３Ｄ映像情報であって、ユーザが３Ｄ映像を視聴可能な状態でない場合は、前記出力部からの３Ｄ映像情報の出力を一時停止することを特徴とする映像処理装置。
【発明の詳細な説明】
【技術分野】
【０００１】
技術分野は、三次元（Three dimension：以下３Ｄ）映像表示を行うデジタルコンテンツに関する。
【背景技術】
【０００２】
特許文献１には、「ユーザーが何らかの事情で放送番組を見ることができないか、あるいはその番組の番組予約を行っていない場合には、予約が行えず、その番組を見逃してしまう」（特許文献１［０００４］参照）ことを課題とし、その解決手段として「時刻を計時する時計回路と、テレビジョン受像機及びテレビジョン放送信号録画再生装置のうち少なくとも一方において、所定回数受信を行った放送番組のチャンネル及び放送開始時刻を含む番組データを好みの番組データとして記憶するメモリと、前記時計回路が計時する時刻が、前記メモリに記憶した好みの番組データの放送開始時刻に一致し、かつ前記テレビジョン受像機とテレビジョン放送信号録画再生装置の双方とも前記好みの番組データの示すチャンネルの放送番組を受信していなかった際に、前記テレビジョン放送信号録画再生装置に前記放送番組の録画を行わせる制御回路とを具備したこと」（特許文献１［０００６］参照）が記載されている。
【０００３】
また、特許文献２には、「ユーザーが求めている番組が或るチャンネルで始まること等を能動的に告知することができるディジタル放送受信装置を提供すること」（特許文献２［０００５］参照）を課題とし、その解決手段として、「ディジタル放送波に含まれる番組情報を取り出し、ユーザーによって登録された選択情報を用いて告知対象番組を選択する手段と、選択した告知対象番組の存在を告げるメッセージを現在表示中の画面に割り込ませて表示する手段と、を備えたこと」（特許文献２［０００６］参照）等が記載されている。
【先行技術文献】
【特許文献】
【０００４】
【特許文献１】特開平５−２７９４
【特許文献２】特開２００３−９０３３
【発明の概要】
【発明が解決しようとする課題】
【０００５】
しかし、特許文献１及び２においては３Ｄコンテンツの視聴に関して開示がない。そのため、３Ｄコンテンツの視聴に関して、ユーザが３Ｄコンテンツを視聴する状態ではないにもかかわらず、３Ｄコンテンツの表示が開始されてしまうと、ユーザはベストの状態で当該コンテンツを視聴することはできず、ユーザの利便性を損ねるおそれがある。
【課題を解決するための手段】
【０００６】
上記課題を解決するために、本発明の一実施の態様は、映像情報が入力される入力部と、入力部に入力された映像情報を復号する復号部と、復号部で復号された映像情報を出力する出力部とを有し、一定時間経過後に前記入力部に入力される映像情報が３Ｄ映像情報であった場合に、前記出力部から３Ｄ映像情報を出力する予定がある旨のメッセージを通知するように構成する。
【発明の効果】
【０００７】
上記手段によれば、３Ｄ番組の視聴に関して、ユーザの利便性を高めることが可能となる。
【図面の簡単な説明】
【０００８】
【図１】システム構成の一例を示す模式図。
【図２】送信装置の構成図の一例
【図３】受信装置の構成図の一例
【図４】受信装置における機能ブロックの一例
【図５】３Ｄ符号化記述子の一例
【図６】システム制御部のフローチャートの一例
【図７】メッセージ表示の一例。
【図８】メッセージ表示の一例。
【図９】メッセージ表示の一例。
【図１０】メッセージ表示の一例。
【図１１】次番組開始時のシステム制御部のフローチャートの一例
【図１２】メッセージ表示の一例
【図１３】メッセージ表示の一例
【図１４】番組開始前のシステム制御部のフローチャートの一例
【図１５】番組開始後のシステム制御部のフローチャートの一例
【図１６】メッセージ表示の一例
【図１７】ユーザー選択後のシステム制御部のフローチャートの一例
【図１８】メッセージ表示の一例
【図１９】ユーザー選択後のシステム制御部のフローチャートの一例
【図２０】番組開始後のシステム制御部のフローチャートの一例
【図２１】メッセージ表示の一例
【図２２】番組開始後のシステム制御部のフローチャートの一例
【図２３】番組開始後のシステム制御部のフローチャートの一例
【図２４】ユーザー選択後のシステム制御部のフローチャートの一例
【図２５】番組開始後のシステム制御部のフローチャートの一例
【図２６】ユーザー選択後のシステム制御部のフローチャートの一例
【発明を実施するための形態】
【０００９】
以下、本発明に好適な実施形態の例（実施例）を説明する。ただし本発明は本実施例に限定されない。例えば、本実施例はデジタル放送受信装置について説明してあり、デジタル放送受信装置での実施に好適であるが、デジタル放送受信装置以外への適用を妨げるものではない。また実施例の構成すべてが採用される必要はなく取捨選択可能である。
【００１０】
＜システム＞
図1は、本実施例のシステムの構成例を示すブロック図である。放送で情報を送受信して記録再生する場合を例示している。ただし放送に限定されず通信によるＶＯＤであってもよく、総称して配信ともいう。
【００１１】
１は放送局などの情報提供局に設置される送信装置、２は中継局や放送用衛星などに設置される中継装置、３はインターネットなど一般家庭と放送局を繋ぐ公衆回線網、ユーザーの宅内などに設置される４は受信装置、１０は受信装置４に内蔵される受信記録再生部である。受信記録再生部１０では、放送された情報を記録し再生、またはリムーバブルな外部媒体からのコンテンツの再生、などができる。
【００１２】
送信装置１は、中継装置２を介して変調された信号電波を伝送する。例えばケーブルによる伝送、電話線による伝送、地上波放送、公衆回線網３を介したインターネット放送、による伝送などを用いることもできる。受信装置４で受信されたこの信号電波は、後に述べるように、復調されて情報信号となった後、必要に応じ記録媒体に記録される。または公衆回線網３を介して伝送する場合には、公衆回線網３に適したプロトコル（例えばＴＣＰ／ＩＰ）に準じたデータ形式（ＩＰパケット）等の形式に変換され、前記データを受信した受信装置４は、復号して情報信号とし、必要に応じて記録媒体に記録される。また、ユーザーは、受信装置４にディスプレイが内蔵されている場合はこのディスプレイで、内蔵されていない場合には受信装置４と図示しないディスプレイとを接続して情報信号が示す映像音声を視聴することができる。
【００１３】
＜送信装置＞
図２は、図１のシステムのうち、送信装置１の構成例を示すブロック図である。
【００１４】
１１はソース発生部、１２はＭＰＥＧ方式等で圧縮を行い、番組情報などを付加するエンコード部、１３はスクランブル部、１４は変調部、１５は送信アンテナ、１６は管理情報付与部である。カメラ、記録装置などから成るソース発生部１１で発生した映像音声などの情報は、より少ない占有帯域で伝送できるよう、エンコード部１２でデータ量の圧縮が施される。必要に応じてスクランブル部１３で、特定の視聴者には視聴可能となるように伝送暗号化される。変調部１４で伝送するに適した信号となるよう変調された後、送信アンテナ１５から、中継装置２に向けて電波として送信される。このとき、管理情報付与部１６では、ソース発生部１１で作成されたコンテンツの属性などの番組特定情報（例えば映像や音声の符号化情報、音声の符号化情報、番組の構成、３Ｄ映像か否か等）が付与され、また放送局が作成した番組配列情報（たとえば現在の番組や次番組の構成、サービスの形式、１週間分の番組の構成情報等）なども付与される。これら番組特定情報および番組配列情報を合わせて、以下では番組情報と呼ぶ。
【００１５】
なお、一つの電波には複数の情報が、時分割、スペクトル拡散などの方法で多重されることが多い。簡単のため図２には記していないが、この場合、ソース発生部１１とエンコード部１２の系統が複数個あり、エンコード部１２とスクランブル部１３との間に、複数の情報を多重するマルチプレクス部（多重化部）が置かれる。
【００１６】
また公衆回線網３を経由して送信する信号についても同様に、エンコード部１２で作成された信号が必要に応じて暗号化部１７で、特定の視聴者には視聴可能となるように暗号化される。通信路符号化部１８で公衆回線網３で伝送するに適した信号となるよう符号化された後、ネットワークＩ／Ｆ（Interface）部１９から、公衆回線網３に向けて送信される。
【００１７】
＜受信装置のハードウェア構成＞
図３は、図１のシステムのうち、受信装置４の構成例を示すハードウェア構成図である。２１は受信機全体を制御するＣＰＵ（Central Processing Unit）、２２はＣＰＵ２１と受信装置内各部との制御および情報を送信するための汎用バス、２３は無線（衛星、地上）、ケーブルなどの放送伝送網を介して送信装置１から送信された放送信号を受信し、特定の周波数を選局し復調、誤り訂正処理、などを行い、MPEG２Transport Stream（以下「ＴＳ」ともいう。）などの多重化パケットを出力するチューナ、２４はスクランブル部１３によるスクランブルを復号するデスクランブラ、２５はネットワークと情報を送受信し、インターネットと受信装置間で各種情報およびＴＳを送受信するネットワークＩ／Ｆ（Interface）、２６は例えば受信装置４に内蔵されているＨＤＤ（Hard Disk Drive）やフラッシュメモリ、またはリムーバブルなＨＤＤ、ディスク型記録媒体、フラッシュメモリ、などの記録媒体、２７は記録媒体２６を制御し、記録媒体２６への信号の記録や記録媒体２６からの信号の再生を制御する記録再生制御装置、２８は前記デスクランブラ２４やネットワークＩ／Ｆ２５、記録再生制御装置２７からの入力信号を切り替え、多重分離装置２９や記録再生制御装置２７に出力する信号切替装置、２９はＴＳなどの形式に多重化されている信号を、映像ＥＳ（elementary stream）、音声ＥＳ、番組情報などの信号に分離する多重分離装置である。ＥＳとは、圧縮・符号化された画像・音声データのそれぞれのことである。３０は映像ＥＳを、映像信号に復号する映像復号装置、３１は音声ＥＳを、音声信号に復号し、音声出力４２から出力する音声復号装置、３２は画面の構成を制御し、例えばＣＰＵ２１が作成したＯＳＤ（On Screen Display）などの表示を、映像復号装置３０から受信した映像信号に重畳し、映像信号および同期信号や制御信号（機器制御に使用）を映像信号出力部４１および制御信号出力部４３から出力する画面構成制御装置、３３はユーザー操作入力部４５からの操作入力（例えばＩＲ（infrared radiation）信号を発信するリモートコントローラーからのキーコード）を受信し、またＣＰＵ２１や画面構成制御装置３２が作成した外部機器への機器制御信号（例えばＩＲ）を機器制御信号送信部４４から送信する制御信号送受信部、３４は内部にカウンタを有し、また現在の時刻の保持を行うタイマー、を表しており、主にこれらの装置により、受信装置４は構成されている。なお、映像信号出力部４１に替えてまたは追加して３D映像ディスプレイを備え、映像復号装置３０が復号した映像を３D映像ディスプレイに表示してもよい。また、音声出力４２に替えてまたは追加してスピーカを備え、音声復号装置が復号した音声信号に基づいてスピーカから音を出力してもよい。この場合、受信装置４は、３D映像表示装置となる。３D映像ディスプレイに表示する場合も、必要であれば、同期信号や制御信号は制御信号出力部４３や機器制御信号送信端子４４から出力する。
【００１８】
なお、図３に示した２１〜３４の各構成要件の一部は、１つの、又は複数のＬＳＩで構成されていてもよい。また、図３に示した２１〜３４の各構成要件の一部の機能をソフトウェアで実現する構成としてもよい。
【００１９】
＜受信装置の機能ブロック図＞
図４は、ＣＰＵ２１内部における処理の機能ブロック構成の一例である。ここで、各機能ブロックは例えばＣＰＵ２１で実行されるソフトウェアのモジュールとして存在しており、それぞれのモジュール間は何らかの手段（例えばメッセージパッシング、ファンクションコール、イベント送信）などを行って情報やデータの受け渡しおよび制御指示を行う。
【００２０】
また、各モジュールは受信装置４内部の各ハードウェアとも、汎用バス２２を介して情報の送受信を行っている。また図に記載の関係線（矢印）は今回の説明に関連する部分を主に記載しているが、その他のモジュール間についても通信手段および通信を必要とした処理は存在する。例えば選局制御部５９は、選局に必要な番組情報を番組情報解析部５４から適宜取得している。
【００２１】
次に各機能ブロックの機能について説明する。システム制御部５１は各モジュールの状態やユーザーの指示状態などを管理し、各モジュールに対して制御指示を行う。ユーザー指示受信部５２は制御信号送受信部３３が受信したユーザー操作の入力信号を受信および解釈し、ユーザーの指示をシステム制御部５１に伝える。機器制御信号送信部５３はシステム制御部５１や、他のモジュールからの指示に従い、制御信号送受信部３３に対して機器制御信号を送信するように指示する。
【００２２】
番組情報解析部５４は多重分離装置２９から番組情報を取得して内容を分析し、必要な情報を各モジュールに対して提供する。時間管理部５５は番組情報解析部５４から、ＴＳに含まれる時刻補正情報（ＴＯＴ：Time offset table）を取得して現在の時刻を管理するとともに、タイマー３４が有するカウンタを使用し、各モジュールの要求に従いアラーム（指定時刻の到来を通知）やワンショットタイマ（一定時間の経過を通知）の通知を行う。
【００２３】
ネットワーク制御部５６は、ネットワークＩ／Ｆ２５を制御し、特定ＵＲＬ（unique resource  locater）や特定ＩＰ(internet protocol)アドレスからの各種情報およびＴＳの取得を行う。復号制御部５７は、映像復号装置３０および音声復号装置３１を制御し、デコードの開始や停止、ストリームに含まれる情報の取得などを行う。
【００２４】
記録再生制御部５８は記録再生制御装置２７を制御し、記録媒体２６から、特定のコンテンツの特定の位置から、また任意の読み出しの形式（通常再生、早送り、巻戻し、一時停止）で信号を読み出す。また、記録再生制御装置２７に入力された信号を、記録媒体２６に対して記録する制御を行う。
【００２５】
選局制御部５９は、チューナ２３、デスクランブラ２４、信号切替装置２８、多重分離装置２９および復号制御部５７を制御し、放送の受信および放送信号の記録を行う。または記録媒体からの再生を行い、映像信号および音声信号を出力するまでの制御を行う。詳しい放送受信の動作および放送信号の記録動作、記録媒体からの再生動作については後述する。
【００２６】
ＯＳＤ作成部６０は、特定のメッセージを含むＯＳＤデータを作成し、画面構成制御部６１に対して前記作成したＯＳＤデータを映像信号に重畳して出力するように指示を行う。ここでＯＳＤ作成部６０は、左目用と右目用といった視差のあるＯＳＤデータを作成し、画面構成制御部６１に対して、前記左目用と右目用のＯＳＤデータをもとに３Ｄ表示を要求することにより、３Ｄでのメッセージ表示等を行う。
【００２７】
画面構成制御部６１は、画面構成制御装置３２を制御し、映像復号装置３０から画面構成制御装置３２に入力された映像と、ＯＳＤ作成部６０から入力されたＯＳＤを重畳し、さらに必要に応じて映像を加工（スケーリングやＰｉｎＰ、３Ｄ表示など）して外部に出力する。各機能ブロックはこれらのような機能を提供する。
【００２８】
＜放送受信＞
ここで、放送受信を行う場合の制御手順と信号の流れについて説明する。まず特定チャンネル（ＣＨ）の放送受信を示すユーザーの指示（例えばリモコンのＣＨボタン押下）を、ユーザー指示受信部５２から受信したシステム制御部５１は、ユーザーの指示したＣＨ（以下指定ＣＨ）での選局を選局制御部５９に指示する。
【００２９】
前記指示を受信した選局制御部５９は、チューナ２３に対して指定ＣＨの受信制御（指定周波数帯への選局、放送信号復調処理、誤り訂正処理）を指示し、ＴＳをデスクランブラ２４に出力させる。
【００３０】
次に選局制御部５９は、デスクランブラ２４に対して前記ＴＳのデスクランブルを指示し、信号切替装置２８に対してデスクランブラ２４からの入力を多重分離装置２９に出力するように指示し、多重分離装置２９に対して、入力されたＴＳの多重分離、および多重分離した映像ＥＳの映像復号装置３０への出力と、音声ＥＳの音声復号装置３１への出力、を指示する。
【００３１】
また、選局制御部５９は、復号制御部５７に対し、映像復号装置３０と音声復号装置３１に入力された映像ＥＳおよび音声ＥＳの復号指示を行う。前記復号指示を受信した復号制御部３１は、映像復号装置３０に対して復号した映像信号を画面構成制御装置３２に出力するように制御し、音声復号装置３１に対して復号した音声信号を音声出力４２に出力するように制御を行う。このようにして、ユーザーが指定したＣＨの映像および音声を出力する制御を行う。
【００３２】
また、選局時のＣＨバナー（ＣＨ番号や番組名、番組情報等を表示するＯＳＤ）を表示するために、システム制御部５１はＯＳＤ作成部６０に対してＣＨバナーの作成および出力を指示する。前記指示を受信したＯＳＤ作成部６０は、作成したＣＨバナーのデータを画面構成制御部６１に送信し、前記データを受信した画面構成制御部６１はＣＨバナーを映像信号に重畳して出力するように制御を行う。このようにして、選局時等のメッセージ表示を行う。
【００３３】
＜放送信号の記録＞
次に放送信号の記録制御と信号の流れについて説明する。特定のＣＨの記録を行う場合には、システム制御部５１は選局制御部５９に対して特定ＣＨの選局および記録再生制御装置への信号出力を指示する。
【００３４】
前記指示を受信した選局制御部５９は、前記放送受信処理と同様に、チューナ２３に対して指定ＣＨの受信制御を指示し、デスクランブラ２４に対して、チューナー２３から受信したＴＳのデスクランブル、信号切替装置２８に対してデスクランブラ２４からの入力を記録再生制御装置２７に出力するように制御する。
【００３５】
また、システム制御部５１は、記録再生制御部５８に対して、記録再生制御装置２７への入力ＴＳを記録するように指示する。前記指示を受信した記録再生制御部５８は、記録再生制御装置２７に入力される信号（ＴＳ）に対して、暗号化などの必要な処理を行い、また記録再生時に必要な付加情報（記録ＣＨの番組情報、ビットレート等のコンテンツ情報）の作成、また管理データ（記録コンテンツのＩＤ、記録媒体２８上の記録位置、記録形式、暗号化情報など）への記録を行った後に、前記ＴＳおよび付加情報、管理データを記録媒体２８への書き込み処理を行う。このようにして放送信号の記録を行う。
【００３６】
＜記録媒体からの再生＞
次に、記録媒体からの再生処理について説明する。特定の番組の再生を行う場合には、システム制御部５１は、記録再生制御部５８に対して、特定の番組の再生を指示する。この際の指示としては、コンテンツのＩＤと再生開始位置（例えば番組の先頭、先頭から１０分の位置、前回の続き、先頭から100Mbyteの位置等）を指示する。
【００３７】
前記指示を受信した記録再生制御部５８は、記録再生制御装置２７を制御し、付加情報や管理データを用いて記録媒体２８から信号（ＴＳ）を読み出して、暗号の復号化などの必要な処理を行った後に、信号切替装置２８に対してＴＳを出力するように処理を行う。
【００３８】
またシステム制御部５１は、再生信号の映像音声出力を選局制御部５９に対して指示する。前記指示を受信した選局制御部５９は、信号切替装置２８に対して記録再生制御装置２７からの入力を多重分離装置２９に出力するように制御し、多重分離装置２９に対して、入力されたＴＳの多重分離、および多重分離された映像ＥＳの映像復号装置３０への出力、および多重分離された音声ＥＳの音声復号装置３１への出力、を指示する。
【００３９】
また、選局制御部５９は、復号制御部５７に対し、映像復号装置３０と音声復号装置３１に入力された映像ＥＳおよび音声ＥＳの復号指示を行う。前記復号指示を受信した復号制御部３１は、映像復号装置３０に対して復号した映像信号を画面構成制御装置３２に出力するように制御し、音声復号装置３１に対して復号した音声信号を音声出力４２に出力するように制御を行う。このようにして記録媒体からの信号再生処理を行う。
＜３Ｄ映像の表示方法＞  本発明に用いることのできる３Ｄ映像の表示方式としては、左目と右目に視差を感じさせる左目用と右目用の映像を作成し、人間に立体物が存在しているように認識させるいくつかの方式がある。
【００４０】
ひとつの方式としては、ユーザーが着用するメガネに対して、液晶シャッター等を用いて左右のグラスを交互に遮光を行い、またそれと同期させて左目用と右目用の映像を表示させ、左右の目に映る画像に視差を発生させるアクティブシャッター方式がある。
この場合、受信装置４は、ユーザーが着用するアクティブシャッター方式メガネへ、制御信号出力部４３や機器制御信号送信端子４４から同期信号や制御信号を出力する。また、映像信号出力部４１から映像信号を外部の３D映像表示装置へ出力して、左目用の映像と右目用の映像とを交互に表示させる。または、受信装置４の有する３D映像ディスプレイに同様の表示を行う。このようにすれば、アクティブシャッター方式メガネを着用したユーザは、当該３D映像表示装置または受信装置４の有する３D映像ディスプレイで３D映像を視聴することができる。
【００４１】
また別の方式としては、ユーザーが着用するメガネに対して、左右のグラスに直線偏光で直交するフィルムを貼るもしくは直線偏光コートを施す、または円偏光で偏光軸の回転方向が逆方向のフィルムを貼るもしくは円偏光コートを施し、それぞれ左目と右目のメガネの偏光にそれぞれ対応した偏光による左目用の映像と右目用の映像を同時に出力することにより、左目と右目で視差を発生させる偏光方式がある。
この場合、受信装置４は、映像信号出力部４１から映像信号を外部の３D映像表示装置へ出力して、該３D映像表示装置は、左目用の映像と右目用の映像とを異なる偏光状態で表示させる。または、受信装置４の有する３D映像ディスプレイに同様の表示を行う。このようにすれば、偏光方式メガネを着用したユーザは、当該３D映像表示装置または受信装置４の有する３D映像ディスプレイで３D映像を視聴することができる。なお、偏光方式では、偏光方式メガネには、受信装置４から同期信号や制御信号を送信することなく、３D映像視聴が可能となるため、制御信号出力部４３や機器制御信号送信端子４４から同期信号や制御信号を出力する必要はない。
【００４２】
また、このほか、色による左右の目の映像を分離させるカラー分離方式を用いてもよい。また、裸眼で視聴可能な視差障壁を利用して３Ｄ映像を作り出す視差障壁方式などを用いてもよい。
【００４３】
なお、本発明に係る３Ｄ表示方式は特定の方式に限定されるものではない。
＜３Ｄ番組の判定方法＞
３Ｄ番組の判定方法としては、放送信号および再生信号の番組情報に含まれる各種テーブルや記述子に、新たに３Ｄ番組か否かを判定する情報を含めることにより、当該記述子から情報を取得し、３Ｄ番組か否かを判定することが可能である。具体的には、放送規格（ＡＲＩＢ／ＤＶＢ／ＡＴＳＣなどで策定）やディスク符号化規格で規定されている、ＰＭＴ(program map table)や、ＥＩＴ（Event Information Table）[schedule basic/schedule extended/present/following]、といったテーブルの中に記載の、コンポーネント記述子、コンポーネントグループ記述子に新たに３Ｄ番組か否かを判定する情報を含める、または３Ｄ番組判定用の新たな記述子を送信する等により、受信機側でこれらの情報を確認して３Ｄ番組か否かを判定する。これらの情報は、前述した送信装置において放送信号に付与され、送信される。送信装置では、例えば管理情報付与部１６によってこれらの情報が放送信号に付与される。
【００４４】
それぞれのテーブルの使い分けとしては、例えばＰＭＴについては現在の番組の情報しか記載していないため、未来の番組の情報については確認することができないが、信頼度は高いといった特徴がある。一方ＥＩＴ[schedule basic/schedule extended]については現在の番組だけでなく未来の番組の情報を取得できるが、受信完了までの時間が長く、保持する記憶領域が多く必要で、かつ未来の事象のため信頼度が低いなどのデメリットがある。
【００４５】
ＥＩＴ[following]については次の放送時間の番組の情報を取得できるため、本実施例への適用については好適である。またＥＩＴ[present]については現在の番組情報の取得に使用でき、ＰＭＴとは異なる情報を入手できる。
【００４６】
次に各テーブル内の具体的な記述子について説明する。まずＰＭＴの2ndループ（ＥＳごとのループ）に記載のstream_typeの中のデータの種類により、ＥＳの形式を判定することができるが、この中に、現在のストリームが３Ｄ映像であることを示す記述が存在する場合には、その番組を３Ｄ番組と判定する（例えば、0x10：MPEG2 SYSTEMS 3D encode等とし、３D映像ストリームを示すstream_typeとして新たに割り当て、その値が番組情報に存在していることを確認する）。またstream_type以外にも、ＰＭＴの中で現在reservedとされている領域について、新たに３Ｄ番組または２Ｄ番組を識別する２Ｄ／３Ｄビットを割り当て、その領域で判定することしてもよい。ＥＩＴについても同様にreservedの領域に新たに２Ｄ／３Ｄビットを割り当てして判定することとしてもよい。
【００４７】
コンポーネント記述子で３Ｄ番組を判定する場合は、コンポーネント記述子のcomponent_typeに、３Ｄ映像を示す種別を割り当て、component_typeが３Ｄをあらわすものが存在すれば、その番組を３Ｄ番組と判定することが可能である（例えば0xB9は、３Ｄ映像1080i(1125i)、アスペクト比16:9以上、等を割り当てし、その値が対象番組の番組情報に存在していることを確認する）。
【００４８】
またコンポーネントグループ記述子による判定方法としては、component_group_typeの値に、３Ｄサービスを表す記述を割り当て、component_group_typeの値が、３Ｄサービスを表していれば、３Ｄ番組と判別可能である（例えば、ビットフィールドで010の値は、３Ｄテレビサービス、等を割り当てし、その値が対象番組の番組情報に存在していることを確認する）。
【００４９】
また、新たに３Ｄ番組判定用の記述子を割り当てる方法については、記述子の例（３Ｄ符号化識別子）を図５に記載している。この例については、今回の説明に必要なメンバのみを記載しており、これ以外のメンバを持つこと、複数のメンバをひとつにまとめること、ひとつのメンバを詳細情報を持つ複数のメンバに分割することも考えられる。
【００５０】
図５の識別子（３Ｄ符号化識別子）のdescriptor_tagについては、この識別子が３Ｄ符号化識別子と識別可能な値（例えば0x80）が記載されており、descriptor_lengthはこの識別子のサイズを記載している。3d_method_typeについては、例えば左目用の映像と右目用の映像とを交互に出力するためのフレームシーケンシャル方式、１画面中に左目用の映像と右目用の映像とをラインごとに格納したラインバイライン（）方式、１画面を左右に分割して左目用の映像と右目用の映像とを、左右の分割画像として収めるサイドバイサイド方式、または１画面を上下に分割して左目用の映像と右目用の映像とを、上下の分割画像として収めるトップアンドボトムなど３Ｄ映像再生方式の種類が記載されており、その値を確認することにより、例えば、復号化方法や表示方法を変える、受信した受信装置では再生／表示が不可である旨のメッセージを表示する、等の動作が可能になる。
【００５１】
stream_encode_typeは、映像ＥＳの符号化方式が例えばMPEG4-AVC、MPEG2やそれ以外の方式か、他のストリームに依存した符号化方式か等が記載されている。forループの内部は、個々のコンポーネントがどのような符号化をされているかを示しており、component_tagで現在のループで情報を指定しているコンポーネントを特定し、component_encode_typeは、そのコンポーネントごとの符号化方式として、他のコンポーネントを参照せずに復号可能か、他のコンポーネントを参照する必要があるかなどを記載しており、他のコンポーネントを参照する場合には、次のrelated_component_tagに参照するコンポーネントのＩＤが記載されている。
【００５２】
対象の番組が３Ｄ番組であるか判定する場合には、まずはこの識別子が存在しているかで判定可能であり、その場合は前記記述子を解析する必要が無いため処理が容易である。また前記識別子の中に含まれる３Ｄ符号化方式（上記3d_method_type）が、装置が対応可能な３Ｄ方式であれば、次番組を３Ｄ番組と判定する方法も考えられる。その場合には、記述子の解析処理は複雑になるが、装置が対応不可能な３Ｄ番組に対してメッセージ表示処理や記録処理を行う動作を防ぐことが可能になる。
【００５３】
また、ＮＩＴやＳＤＴに含まれるservice_typeの情報に新たに３Ｄ番組サービスを割り当て（例えば、0x11：”３Ｄデジタル映像サービス”）、前記記述子がある番組情報を取得した場合に、３Ｄ番組として判定することも可能である。この場合には、番組単位での判定ではなく、サービス（ＣＨ）単位での判定となり、同一ＣＨ内での次番組の３Ｄ番組判定等はできないが、情報の取得が番組単位でないため容易といった点もある。
【００５４】
また、映像ＥＳを復号する際に用いられるシーケンスヘッダ、ピクチャヘッダ等の各種ヘッダに付随している、３Ｄ符号化されているという情報を、現在の番組の３Ｄ番組判定に使用することも可能である。その場合には、上記ＥＩＴやＰＭＴよりも情報の信頼性は高いが、映像ストリームを受信し解析するまで時間がかかるといったデメリットがある。
【００５５】
また番組情報については、専用の通信路（放送信号、またはインターネット）を通じて取得する方法もある。その場合にも、番組の開始時間とＣＨ（放送ＣＨ、ＵＲＬまたはＩＰアドレス）、その番組が３Ｄ番組かをあらわす識別子があれば、同様に３Ｄ番組判定は可能である。
以上の説明では、サービス（CH）または番組単位で３D映像か否かを判定するためのさまざまな情報（テーブルや記述子に含まれる情報）について説明したが、これらは本発明において必ずしも全て送信する必要はない。放送形態に合せて必要な情報を送信すればよい。これらの情報のうち、それぞれ単独の情報を確認して、サービス（CH）または番組単位で３D映像か否かを判定してもよく、複数の情報を組み合わせてサービス（CH）または番組単位で３D映像か否かを判定してもよい。複数の情報を組み合わせて判定する場合は、３D映像放送サービスであるが、一部の番組だけ２D映像であるなどの判定も可能となる。このような判定ができる場合は、受信装置で、例えばEPGでは当該サービスが「３D映像放送サービス」であることを明示することができ、かつ、当該サービスに３D映像番組以外に２D映像番組が混在していても、番組受信自等に３D映像番組と２D映像番組とで表示制御等を切り替えることが可能となる。
＜３Ｄコンテンツの表示処理＞
次に３Ｄコンテンツ（３Ｄ映像を含むデジタルコンテンツ）再生時の処理について説明する。ここでは１つのＴＳに左目用映像ＥＳと右目用映像ＥＳが存在する場合を例に挙げて説明する。まずユーザーが３Ｄ映像への切替指示（例えばリモコンの「３Ｄ」キー押下）等を行った場合、前記キーコードを受信したユーザー指示受信部５２は、システム制御部５１に対して３Ｄ映像への切替を指示する。前記指示を受信したシステム制御部５１は、上記の方法で現在の番組が３Ｄ番組か否かを判定する。
【００５６】
現在の番組が３Ｄ番組であった場合には、システム制御部５１はまず選局制御部５９に対して、３Ｄ映像の出力を指示する。前記指示を受信した選局制御部５９は、まず番組情報解析部５４から左目用映像ＥＳと右目用映像ＥＳのＰＩＤ(packet ID)、および３Ｄ符号化方式（例えばH.264 MVC）を取得し、次に多重分離装置２９に対して前記左目用ＥＳと前記右目用ＥＳを多重分離して映像復号装置３０に出力するよう制御を行う。
【００５７】
ここで、例えば前記左目用映像ＥＳは、映像復号装置の１番入力、前記右目用映像ＥＳは映像復号装置の２番入力に入力するように、多重分離装置２９を制御する。その後選局制御部５９は、復号制御部５７に対して、映像復号装置３０の１番入力は左目用映像ＥＳで２番入力は右目用映像ＥＳという情報および前記３Ｄ符号化方式を送信し、かつこれらのＥＳを復号するように指示を行う。
【００５８】
前記指示を受信した復号制御部５７は、左目用ＥＳと右目用ＥＳそれぞれの復号を行い、左目用と右目用の映像信号を画面構成制御装置３２に出力する。ここで、システム制御部５１は画面構成制御部６１に対して、映像の３Ｄ出力を行うように指示を行う。前記指示をシステム制御部５１から受信した画面構成制御部６１は、前記左目用と右目用の映像信号を交互に映像出力４１から出力する、または受信装置４が備える３D映像ディスプレイに映像を表示する。
【００５９】
また、それとともにそれぞれの映像信号が左目用、右目用と判別可能な同期信号を制御信号４３から出力する。前記映像信号と前記同期信号を受信した外部の映像出力装置は、前記映像信号を前記同期信号に合わせて左目用、右目用の映像を出力し、かつ３Ｄ視聴補助装置に前記同期信号を送信することにより３Ｄ表示を行うことが可能になる。
【００６０】
また前記映像信号を受信装置４が備える３D映像ディスプレイに表示する場合には、前記同期信号を機器制御信号送信部５３および制御信号送受信部３３を経由し、機器制御信号送信端子４４から出力して、外部の３Ｄ視聴補助装置の制御（例えばアクティブシャッターの遮光切替）を行うことにより、３Ｄ表示を行う。
【００６１】
２Ｄ表示を行う場合には、ユーザーが２Ｄ映像への切替指示（例えばリモコンの「２Ｄ」キー押下）を行った場合、前記キーコードを受信したユーザー指示受信部５２は、システム制御部５１に対して２Ｄ映像への信号切替を指示する。前記指示を受信したシステム制御部５１はまず選局制御部５９に対して、２Ｄ映像の出力を指示する。
【００６２】
前記指示を受信した選局制御部５９は、まず番組情報解析部５４から２Ｄ映像用のＥＳ（例えばデフォルトタグを持つＥＳ）のＰＩＤを取得し、多重分離装置２９に対して前記ＥＳを映像復号装置３０に出力するよう制御を行う。その後選局制御部５９は復号制御部５７に対して、前記ＥＳを復号するように指示を行う。
【００６３】
前記指示を受信した復号制御部５７は、前記ＥＳの復号を行い、映像信号を画面構成制御装置３２に出力する。ここで、システム制御部５１は画面構成制御部６１に対して、映像の２Ｄ出力を行うように制御を行う。前記指示をシステム制御部５１から受信した画面構成制御部６１は、画面構成制御装置３２に入力された前記映像信号を映像出力端子４１から出力する。このようにして２Ｄ表示を行う。
【００６４】
次に、所定の条件下における３Ｄコンテンツの表示処理について説明する。図６では、選局や一定時間経過など、次の番組開始までの時間が変化した場合に、システム制御部５１で実行されるフローの一例である。まずシステム制御部５１は番組情報解析部５４から次の番組の番組情報を取得し（Ｓ１０１）、前記３Ｄ番組の判定方法により、次番組が３Ｄ番組か否かを判定する。
【００６５】
次番組が３Ｄ番組でない場合（Ｓ１０２のno）、特に処理は行わずに終了する。次番組が３Ｄ番組の場合（Ｓ１０２のyes）、次番組の開始までの時間を計算する。具体的には前記取得した番組情報のＥＩＴから次番組の開始時刻または現在番組の終了時刻を取得し、時間管理部５５から現在時刻を取得して、その差分を計算する。
【００６６】
次番組開始までＸ分以下で無い場合（Ｓ１０３のno）、特に処理を行わずに次番組開始Ｘ分前となるまで待つ。次番組開始までＸ分以下の場合（Ｓ１０３のyes）、ユーザーに対して、３Ｄ番組がもうすぐ始まる旨のメッセージを表示する（Ｓ１０４）。
【００６７】
図７にその際のメッセージ表示の例を示す。７０１が装置が表示する画面全体、７０２に装置が表示するメッセージを示している。このようにして、３Ｄ番組が開始される以前に、ユーザーに対して３Ｄ視聴補助装置を準備させるように注意を促すことが可能となる。
【００６８】
上記番組開始前までの判定時間Ｘについては、Ｘを小さくすると番組開始までにユーザーの３Ｄ視聴準備が間に合わない可能性がある。またＸを大きくすると、長期間メッセージ表示が視聴の妨げになる、準備が完了した後に間が空いてしまうというデメリットがあるため、適度な時間に調整する必要がある。
【００６９】
また、ユーザーに対してメッセージを表示する際に、具体的に次の番組の開始時間を表示しても良い。その場合の画面表示例を図８に示す。８０２が３Ｄ番組開始までの時間を表示したメッセージである。ここでは分単位での記載を行っているが、秒単位で記載を行っても良い。その場合には、より詳細な次番組の開始時間をユーザーが知ることができるが、処理負荷が高くなるというデメリットもある。
【００７０】
なお、図８には３Ｄ番組が開始されるまでの時間を表示する例を示したが、３Ｄ番組が開始される時刻を表示するようにしてもよい。午後９時に３Ｄ番組が開始される場合は、例えば「午後９時から３Ｄ番組が始まります。３Ｄメガネを着用して下さい。」というメッセージを表示すればよい。
このようなメッセージを表示することにより、ユーザーが具体的な次番組の開始時間を知り適切なペースで３Ｄ視聴の準備を行うことが可能になる。
【００７１】
また、図９のように、３Ｄ視聴補助装置使用時には立体的に見えるマーク（３Ｄチェックマーク）を付加することも考えられる。９０２が３Ｄ番組開始を予告するメッセージ、９０３が３Ｄ視聴補助装置使用時に立体に見えるマークである。これにより、３Ｄ番組開始前に、ユーザーが３Ｄ視聴補助装置の正常動作を確認することができる。例えば３Ｄ視聴補助装置に不具合（例えばバッテリー切れ、故障など）が発生した場合に、番組開始までに修理や交換等の対応を行うことも可能になる。
【００７２】
次に、次番組が３Ｄであることをユーザーに通知した後、ユーザーの３Ｄ視聴準備が完了したか否かの状態（３Ｄ視聴準備状態）を判定し、３Ｄ番組の映像を２Ｄ表示または３Ｄ表示に切り替える方法について説明する。
【００７３】
次番組が３Ｄであることをユーザーに通知する方法については、上述したとおりである。ただし、ステップＳ１０４でユーザーに表示するメッセージについて、ユーザーが応答を行うオブジェクト（以下ユーザー応答受信オブジェクト：例えばＯＳＤ上のボタン）が表示されている点が異なる。このメッセージの例について図１０に示す。
【００７４】
１００１はメッセージ全体、１００２はユーザーが応答を行うためのボタンを表している。図１０のメッセージ１００１表示時、例えばユーザーがリモコンの“ＯＫ”ボタンを押下した場合、ユーザー指示受信部５２は“ＯＫ”が押下されたことをシステム制御部５１に通知する。
【００７５】
前記通知を受信したシステム制御部５１は、ユーザーの３Ｄ視聴準備状態がＯＫであることを状態として保存する。次に時間が経過し、現在番組が３Ｄ番組になった場合のシステム制御部５１の処理フローについて、図１１を用いて説明する。
【００７６】
システム制御部５１は番組情報解析部５４から現在の番組の番組情報を取得し（Ｓ２０１）、現在の番組が３Ｄ番組か否かを上記の３Ｄ番組の判定方法により判定する。現在の番組が３Ｄ番組で無い場合（Ｓ２０２のno）、上記の方法で映像を２Ｄ表示するように制御を行う（Ｓ２０３）。
【００７７】
現在の番組が３Ｄ番組の場合（Ｓ２０２のyes）、次にユーザーの３Ｄ視聴準備状態を確認する（Ｓ２０４）。システム制御部５１が保存している前記３Ｄ視聴準備状態が、ＯＫで無い場合（Ｓ２０５のno）、同様に映像を２Ｄ表示するように制御を行う（Ｓ２０３）。
【００７８】
前記３Ｄ視聴準備状態がＯＫの場合（Ｓ２０５のyes）、上記の方法で映像を３Ｄ表示するように制御を行う（Ｓ２０６）。このようにして、現在の番組が３Ｄ番組でかつユーザーの３Ｄ視聴準備が完了したことを確認できた場合に、映像の３Ｄ表示を行う。
【００７９】
ステップＳ１０４で表示するメッセージ表示としては、図１０のように単純にＯＫだけでなく、次番組の表示方式を２Ｄ映像にするか３Ｄ映像にするかを明記する方法も考えられる。その場合のメッセージと、ユーザー応答受信オブジェクトの例を図１２および図１３に示す。
【００８０】
このようにすると前記のような“ＯＫ”の表示に比べ、ユーザーがボタン押下後の動作をより判断しやすくなる他、明示的に２Ｄでの表示を指示できるなど（１２０２に記載の“２Ｄで見る”押下時には、ユーザー３Ｄ視聴準備状態をＮＧと判定）、利便性が高まる。
【００８１】
また、ユーザーの３Ｄ視聴準備状態の判定は、ここではリモコンでのユーザーメニューの操作としているが、他にも例えば３Ｄ視聴補助装置が発信するユーザー装着完了信号により、前記３Ｄ視聴準備状態を判定する方法や、撮像装置でユーザーの視聴状態を撮影し、前記撮影結果から画像認識やユーザーの顔認識を行い、３Ｄ視聴補助装置を着用していることを判定しても良い。
【００８２】
このように判定することにより、ユーザーが何か受信装置に対して操作を行う手間を省くことが可能になり、さらに誤操作で２Ｄ映像視聴と３Ｄ映像視聴を誤って設定してしまうことを避けることが可能になる。
【００８３】
また、別の方法としては、ユーザーがリモコンの＜３Ｄ＞ボタンを押下した場合に、３Ｄ視聴準備状態をＯＫと判断、ユーザーがリモコンの＜２Ｄ＞ボタンまたは＜戻る＞ボタンまたは＜キャンセル＞ボタンを押下した場合に、３Ｄ視聴準備状態をＮＧと判定する方法もある。この場合は明確で容易にユーザーが自分の状態を装置に通知できるが、誤操作や誤解による状態送信などのデメリットも考えられる。
【００８４】
また、上記例において、現在の番組の情報を取得せず、事前に取得した次の番組の番組情報のみを判定して処理を行うことも考えられる。この場合は、図１１のステップＳ２０１において、現在の番組が３Ｄ番組かの判定を行なわず、事前に（例えば図６のステップＳ１０１）取得した番組情報を使用する方法も考えられる。この場合は処理構造が簡易になるなどのメリットが考えられるが、突如番組構成が変更になり、次番組が３Ｄ番組でなくなるような場合にも３Ｄ映像切替処理が実行される可能性があるなどのデメリットが存在する。
【００８５】
次に、３Ｄ番組開始時に録画を開始し、ユーザーが３Ｄ番組視聴の準備を完了した時点で、番組を最初から視聴可能とする場合のシステム制御部５１の処理フローについて説明する。３Ｄ番組が始まる前までの処理については、図１４に記載のとおりである。図１４のＳ１０１〜Ｓ１０４は図６と同様であるが、図６と異なる点は、ステップＳ３０１が追加された点である。
【００８６】
具体的な動作としては、次番組が３Ｄ番組で（Ｓ１０２のyes）、次番組開始までＸ分以下（Ｓ１０３のyes）、の際に、記録準備動作を開始する（Ｓ３０１）。ここでの記録準備動作とは、例えばＨＤＤのスタンバイ状態解除やスピンアップ動作、または記録用の信号切替開始や記録用選局の実施など、記録の準備段階となる動作については、このステップで実施しておくことが望ましい。
【００８７】
その後３Ｄ番組が開始された後のシステム制御部５１の処理フローを図１５に示す。ユーザーの３Ｄ視聴準備状態を判定する（Ｓ２０１、Ｓ２０２、Ｓ２０４、Ｓ２０５）までの処理フローは、図１１に示した処理フローと同様である。
【００８８】
その後３Ｄ視聴準備状態がＯＫで無い場合（Ｓ２０５のno）、現在の番組を記録中か判定を行う。現在番組が記録中で無い場合は（Ｓ４０１のno）、現在番組の記録を開始する（Ｓ４０２）。現在番組を記録中の場合には（Ｓ４０１のyes）、特に処理を行わず次のステップに進む。
【００８９】
記録制御を行った後には、ユーザーに対して図１６に示すような、３Ｄ番組が始まったことと、ユーザーにその後の動作を選択させる旨のメッセージ１６０１を表示し（Ｓ４０３）、映像を２Ｄ表示に切り替えて（Ｓ２０３）処理を終了する。
【００９０】
図１６の画面表示におけるユーザー選択の判定方法の一例としては、ユーザーがリモコンを操作し、リモコンの＜３Ｄ＞ボタンを押下した場合または画面の「ＯＫ／３Ｄ」にカーソルを合わせリモコンの＜ＯＫ＞ボタンを押下した場合は、ユーザー選択は“３Ｄ切替”と判定する。
【００９１】
または、ユーザーがリモコンの＜キャンセル＞ボタンまたは＜戻る＞ボタンを押下した場合または画面の「キャンセル」にカーソルを合わせリモコンの＜ＯＫ＞を押下した場合は、ユーザー選択は“３Ｄ切替以外”と判定する。これ以外にも、例えば上記３Ｄ視聴準備状態がＯＫになる動作が行われた場合（例えば３Ｄメガネ装着）には、ユーザー選択は“３Ｄ切替”となる。
【００９２】
ユーザーが選択を行った後に実行されるシステム制御部５１の処理フローについて、図１７に示す。ユーザー選択結果を、システム制御部５１はユーザー指示受信部５２から取得する（Ｓ５０１）。ユーザー選択が、“３Ｄ切替”で無かった場合（Ｓ５０２のno）、映像は２Ｄ表示をし（Ｓ５０３）、現在の番組の記録をしていた場合は停止して（Ｓ５０４）そのまま終了する。
【００９３】
ユーザーの選択が“３Ｄ切替”であった場合（Ｓ５０２のyes）、映像を３Ｄ表示し（Ｓ５０５）、現在の番組を最初から再生するように、上記記録媒体からの再生処理を実施する。
【００９４】
このようにして、番組再生開始時にユーザーが３Ｄ視聴準備を完了していない場合でも、ユーザーが３Ｄ視聴準備完了後、番組の最初から３Ｄで視聴をすることが可能になる。
【００９５】
また、Ｓ４０３で提示するメッセージとして、図１８の１８０１に示すように、「このまま３Ｄを視聴する」という旨のメッセージを含むことにより、ユーザーの選択可能な動作を明示的に増やすことが可能になる。この場合のユーザー選択の判定方法の一例としては、ユーザーがリモコンを操作し、画面の「最初から見る」にカーソルを合わせ、リモコンの＜ＯＫ＞ボタンを押下した場合は、ユーザー選択は“３Ｄ切替かつ最初から視聴”と判定する。
【００９６】
または、ユーザーが画面の「このまま３Ｄに」にカーソルを合わせ、リモコンの＜ＯＫ＞を押下した場合は、ユーザー選択は“３Ｄ切替かつこのまま視聴”と判定し、または、ユーザーが画面の「キャンセル（２Ｄ表示）」にカーソルを合わせ、リモコンの＜ＯＫ＞を押下した場合は、ユーザー選択は“２Ｄ切替”と判定する。
【００９７】
この場合に、ユーザーが選択を行った後に実行されるシステム制御部５１の処理フローを図１９に示す。Ｓ５０１からＳ５０５までの動作は図１７と同様である。ユーザーの選択が“３Ｄ切替”であった場合（Ｓ５０２のyes）に映像を３Ｄ表示した後（Ｓ５０５）、ユーザーの選択が最初から視聴か否かを判定する。
【００９８】
ユーザー選択が最初から視聴であった場合（Ｓ５０６のyes）、現在の番組を最初から再生するように、上記記録媒体からの再生処理を実施する。ユーザー選択が最初から視聴でない場合（Ｓ５０６のno）、現在の番組の記録を停止し（Ｓ５０４）、そのまま続きから再生する。
【００９９】
このようにユーザー選択の結果により、ユーザーが３Ｄ視聴の準備を完了した後に、現在の続きから３Ｄで番組を視聴するか、最初から３Ｄで番組を視聴するか、または２Ｄで視聴するかを選択することができる。
【０１００】
ここで、ユーザーが３Ｄ視聴を準備完了するまでは、特定の映像と音声のみを表示し、番組の映像および音声を表示しない方法について説明する。これは、例えばユーザーが３Ｄ視聴準備完了していない状態で番組が始まってしまった場合、内容について準備完了するまで視聴をしたくない場合（例えばスポーツ中継で、結果がわかってしまうなど）に配慮するものである。
【０１０１】
その場合の３Ｄ番組開始時にシステム制御部５１で実行される処理フローを図２０に示す。図１５の処理フローと異なる点は、Ｓ４０３でメッセージを表示した後、特定映像音声を表示するステップ（Ｓ６０１）が追加された点である。
【０１０２】
ここでいう特定映像音声とは、例えば映像であれば、３Ｄ準備を促すメッセージ、黒画面、番組の静止画、などが挙げられ、音声としては、無音、または固定パターンの音楽（環境音楽）などが挙げられる。
【０１０３】
固定パターン映像（メッセージや環境映像、または３Ｄ映像等）の表示については、映像復号装置３０内部または図に記載していないＲＯＭまたは記録媒体２６からデータを読み出し、映像復号装置３０が復号して出力することにより実現できる。黒画面の出力については、例えば映像復号装置３０が黒色を表す信号のみの映像を出力または画面構成制御装置３２が出力信号のミュートまたは黒映像の出力、により実現できる。
【０１０４】
また、固定パターン音声（無音、環境音楽）の場合も同様に、音声復号装置３１の内部またはＲＯＭまたは記録媒体２６からデータを読み出して復号出力、出力信号のミュート等により実現できる。
【０１０５】
番組映像の静止画の出力については、システム制御部５１から記録再生制御部５８に対して、番組の再生および映像の一時停止を指示することにより実現できる。ユーザー選択を実施した後のシステム制御部５１の処理は上記と同様、図１７のように実行する。
【０１０６】
これによりユーザーが３Ｄ視聴準備を完了するまでの間、番組の映像や音声を出力しないことが可能になる。
【０１０７】
ユーザーが選局操作を行いＣＨを変更した場合等、現在の番組の番組情報が変更となった場合についても、図１５または図２０に記載の処理フローがシステム制御部５１で実行される。この場合についても、上記と同様の処理が行われる。
【０１０８】
これにより、番組が切り替わった場合に、視聴番組が３Ｄ番組以外の番組は２Ｄで表示され、またユーザーの３Ｄ視聴準備がすでにできている場合には映像が３Ｄ表示に切替られ、またユーザーが３Ｄ視聴準備できてない場合には、現在番組の記録が実施され、図１６または図１８のメッセージが表示されその後の動作が選択可能となるといった効果がある。
【０１０９】
上記３Ｄ番組の記録動作については、電力を通常より消費する場合や、動作負荷がユーザー操作の妨げになる場合もある。そのような場合にはユーザーが事前に設定することにより３Ｄ番組の自動記録を行わない設定も可能となる。
【０１１０】
ユーザー設定画面の例を図２１に示す。これは３Ｄ番組の自動記録の有無を設定するユーザーメニューで、ここで２１０１は選択可能なボタンをあらわしており、ここでユーザーが“ＯＦＦ”を選択することにより、３Ｄ番組の自動記録を行わないことが可能になる。この画面でユーザーが“ＯＦＦ”を設定すると、ユーザー指示受信部５２からシステム制御部５１に対して、ユーザー設定の“３Ｄ番組自動記録”の“ＯＦＦ”が通知される。
【０１１１】
図２１で説明したユーザーメニューでの設定に対応した、システム制御部５１のフローチャートを図２２に示す。図１５および図２０のフローチャートと異なる点は、ユーザーが３Ｄ準備ＯＫで無い場合（Ｓ２０５のno）、３Ｄ番組自動記録のユーザー設定状態を確認し、“３Ｄ番組自動記録”のユーザー設定がＯＦＦであった場合（Ｓ７０１のyes）、Ｓ４０２の記録処理が行われない点である。
【０１１２】
このように、ユーザーが希望しない場合には、３Ｄ番組の自動記録を行わず、電力消費を抑え、不要な動作を行わせないことが可能になる。
【０１１３】
次に、記録媒体からの再生開始時に、再生コンテンツが３Ｄ番組かを判定し、またユーザーの３Ｄ準備状態を確認して処理を行う方法について説明する。再生開始時のシステム制御部５１の処理フローの一例を図２３に示す。
【０１１４】
上述の処理と異なる点は、番組開始前の処理（図１４）が無い点と、現在番組の記録判定（図１５，２０．２２のＳ４０１）および記録処理（図１５，２０．２２のＳ４０２）、が無く、再生一時停止処理（Ｓ６１０）が追加された点である。
【０１１５】
３Ｄ視聴準備状態の判定を行う（Ｓ２０５）までは、図１５に示す処理と同様である。その後３Ｄ視聴準備状態がＮＧの場合（Ｓ２０５のno）、再生動作を一時停止する（Ｓ６１０）ように、システム制御部５１は記録再生制御部５８に指示する。その後図１６に示すようなメッセージ表示を行い（Ｓ４０３）、図２０のＳ６０１で説明した処理と同様の方法で特定映像音声を表示する（Ｓ６０１）。
【０１１６】
ユーザーが選択を行った後に実行されるシステム制御部５１の処理フローについて、図２４に示す。ユーザー選択結果を、システム制御部５１はユーザー指示受信部５２から取得する（Ｓ５０１）。ユーザー選択が、“３Ｄ切替”で無かった場合（Ｓ５０２のno）、映像は２Ｄ表示をする（Ｓ５０３）。
【０１１７】
また、ユーザーの選択が“３Ｄ切替”であった場合（Ｓ５０２のyes）、映像を３Ｄ表示する。その後、システム制御部５１は一時停止していた再生動作を再開するように、記録再生制御部５８に指示する（Ｓ６１１）。
【０１１８】
このようにして、記録媒体からの再生時について、視聴番組が３Ｄ番組以外の番組は２Ｄで表示され、またユーザーの３Ｄ視聴準備がすでにできている場合には映像が３Ｄ表示に切替られ、またユーザーが３Ｄ視聴準備できてない場合には、再生を一時停止し、図１６のメッセージが表示されその後の動作が選択可能になり、ユーザーが動作選択後、ユーザーの選択に合わせた映像表示で番組が再生される。このように再生動作の場合には、ユーザーが３Ｄ準備完了となるまで、再生動作を一時停止しておくことにより、無駄な再生処理を行わず、省電力を実現できるといった効果もある。
【０１１９】
次に、選局等で番組を切り替えた結果、現在の番組が３Ｄ番組であった場合に、ユーザーの３Ｄ視聴準備状態がＯＫであれば３Ｄ映像を表示し、ＯＫで無い場合にはメッセージを表示して３Ｄ視聴準備を促す例について説明する。この場合のシステム制御部５１の処理フローを図２５に示す。
【０１２０】
この処理フローは、例えば選局や電源ＯＮなど、現在の番組の番組情報が変更になった場合に実行される。３Ｄ視聴準備状態を判定する（Ｓ２０１Ｓ２０２、Ｓ２０４、Ｓ２０５）までの処理フローは、図１１や図１５と同様である。
【０１２１】
その後、３Ｄ視聴準備状態がＯＫで無い場合（Ｓ２０５のno）、ユーザーに対して図１６に示すような、３Ｄ番組が始まったことを通知し、ユーザーにその後の動作を選択させる旨のメッセージを表示し（Ｓ４０３）、映像を２Ｄ表示に切り替えて（Ｓ２０３）処理を終了する。
【０１２２】
図１６の画面表示におけるユーザー選択の判定方法の一例としては、ユーザーがリモコンを操作し、リモコンの＜３Ｄ＞ボタンを押下した場合、または画面の「ＯＫ／３Ｄ」にカーソルを合わせ、リモコンの＜ＯＫ＞ボタンを押下した場合は、ユーザー選択は“３Ｄ切替”と判定する。
【０１２３】
または、ユーザーが、リモコンの＜キャンセル＞ボタンまたは＜戻る＞ボタンを押下した場合、または画面の「キャンセル」にカーソルを合わせ、リモコンの＜ＯＫ＞を押下した場合は、ユーザー選択は“３Ｄ切替以外”と判定する。
【０１２４】
これ以外にも、例えば上記３Ｄ視聴準備状態がＯＫになる動作が行われた場合（例えば３Ｄメガネ装着）には、ユーザー選択は“３Ｄ切替”としてもよい。
【０１２５】
ユーザーが選択を行った後のシステム制御部５１の処理フローについて、図２６に示す。ユーザーがメニュー表示の中から何を選択したかを、システム制御部５１はユーザー指示受信部５２から取得する（Ｓ５０１）。ユーザーの選択が、“３Ｄ切替”で無かった場合（Ｓ５０２のno）、映像は２Ｄ表示をして（Ｓ５０３）終了する。ユーザーの選択が“３Ｄ切替”であった場合（Ｓ５０２のyes）、映像を３Ｄ表示して（Ｓ５０５）終了する。
【０１２６】
このようにして、ユーザーが選局等で番組を切り替えた結果、現在の番組が３Ｄ番組であった場合に、ユーザーの３Ｄ視聴準備状態がＯＫであれば３Ｄ映像を表示し、ＯＫで無い場合には２Ｄの映像を表示してメッセージを表示し、ユーザーの３Ｄ視聴準備ができてから３Ｄ映像に容易に切り替えることが可能となる。また現在の番組が３Ｄ番組であることをユーザーは容易に知ることができ、またすでにユーザーの３Ｄ視聴準備状態がＯＫである時には、不要に２Ｄ映像が切り替わったり、メッセージが表示されたりせず、即座に３Ｄ番組を視聴することが可能になる。
【０１２７】
この例では記録装置を使用していないため、例えば記録装置を使用できない（例えば他の番組を記録中でリソースが不足している、記録装置を具備していない）場合において有用である。例えば、図１５や図２０を用いて説明した処理フローにおいて、記録動作が不可能な場合などは、こちらの例を実施することが望ましい。
【０１２８】
上記で説明した実施例によれば、３Ｄ番組の開始部分について、事前にユーザーが３Ｄ視聴準備を完了できたり、３Ｄ番組の開始に間に合わない場合には記録再生機能を用いてユーザーが３Ｄ番組を視聴する準備が完了してから再度映像表示をさせたりするなど、より良い状態でユーザーが３Ｄ番組を視聴することが可能になる。また、ユーザーにとって望ましいと思われる表示方法（３Ｄ映像を視聴したい場合に３Ｄ映像表示、またはその逆）へ映像表示を自動的に切り替えるなど、ユーザーの利便性を高めることが可能になる。また、選局により３Ｄ番組へと切り替えた場合や、記録されている３Ｄ番組の再生開始時なども同様の効果が期待できる。
【符号の説明】
【０１２９】
１  送信装置
２  中継装置
３  ネットワーク
４  受信装置
１０  記録再生装置
１１  ソース発生部
１２  エンコード部
１３  スクランブル部
１４  変調部
１５  送信アンテナ部
１６  管理情報
１７  暗号化部
１８  通信路符号化部
１９  ネットワークＩ／Ｆ部
２１  ＣＰＵ
２２  汎用バス
２３  チューナ
２４  デスクランブラ
２５  ネットワークＩ／Ｆ
２６  記録媒体
２７  記録再生制御装置
２８  信号切替え装置
２９  多重分離装置
３０  映像復号装置
３１  音声復号装置
３２  画面構成制御装置
３３  制御信号送受信部
３４  タイマー
４１  映像出力部
４２  音声出力部
４３  制御信号出力部
４４  機器制御信号送信
４５  ユーザー操作入力
５１  システム制御部
５２  ユーザー指示受信部
５３  機器制御信号送信部
５４  番組情報解析部
５５  時間管理部
５６  ネットワーク制御部
５７  復号制御部
５８  記録再生制御部
５９  選局制御部
６０  ＯＳＤ作成部
６１  画面構成制御部
【図１】
2011228969.tif 000003
【図２】
2011228969.tif 000004
【図３】
2011228969.tif 000005
【図４】
2011228969.tif 000006
【図５】
2011228969.tif 000007
【図６】
2011228969.tif 000008
【図７】
2011228969.tif 000009
【図８】
2011228969.tif 000010
【図９】
2011228969.tif 000011
【図１０】
2011228969.tif 000012
【図１１】
2011228969.tif 000013
【図１２】
2011228969.tif 000014
【図１３】
2011228969.tif 000015
【図１４】
2011228969.tif 000016
【図１５】
2011228969.tif 000017
【図１６】
2011228969.tif 000018
【図１７】
2011228969.tif 000019
【図１８】
2011228969.tif 000020
【図１９】
2011228969.tif 000021
【図２０】
2011228969.tif 000022
【図２１】
2011228969.tif 000023
【図２２】
2011228969.tif 000024
【図２３】
2011228969.tif 000025
【図２４】
2011228969.tif 000026
【図２５】
2011228969.tif 000027
【図２６】
2011228969.tif 000028